(57)【要約】      （修正有）【課題】大判でページ数の多い本に関しても開いた状態を安定的に保持すると共に、読書中断位置の行を正確に指し示すことを可能とする。【解決手段】直角三角形の側板３の斜辺間に本載置板２を連設している。本載置板２の中央には縦方向に窪み７を凹設している。本載置板２の下端には滑り止め板８を取り付け、滑り止め板８の上端面及び上面と平行な案内杆１０を取り付けている。案内杆１０には横行指示棒取付杆１３を着脱可能に取り付け、さらに縦行指示棒１９を摺動自在に取り付けている。横行指示棒取付杆１３には横行指示棒１７を摺動自在に取り付けている。横行指示棒１７及び縦行指示棒１９は、板ばねにより形成されている。本載置板２には、本６の大小に対応可能にフレキシブル棒よりなる補強用ページ押さえ２３、２４、２５、２６を設けている。【選択図】図１
0003108104.tif 000002
【実用新案登録請求の範囲】
【請求項１】
傾斜した本載置板を有し、この本載置板の略中央には縦方向に沿って本の背表紙を載置するための窪みを設けてなる書見台本体と、この書見台本体下端に設けた本落下防止用の滑り止め板と、前記本載置板上面の上方を前記滑り止め板上端縁と直交して横方向にスライドする縦行指示棒と、開いた本の左右ページを押さえるための起伏動可能なページ押さえ杆を具備した押さえ具とより構成されてなる書見台において、
前記書見台本体上面の上方を前記滑り止め板の上端縁と平行に縦方向に沿ってスライドする横行指示棒を設け、該横行指示棒及び前記縦行指示棒は板ばねよりなり、前記ページ押さえ杆の下面は偏平面よりなり、前記本載置板上面には上下方向に於ける異なる位置に先端が位置するように形成された補強用ページ押さえを設けてなることを特徴とする書見台。
【請求項２】
上記補強用ページ押さえが、フレキシブル棒よりなることを特徴とする請求項１記載の書見台。
【考案の詳細な説明】
【技術分野】
【０００１】  本考案は、書見台に関し、更に詳しくは大判でページ数が多く所望ページを開いても閉じる方向に力が加わる本であっても、ページを開いた状態を安定的に保持し、しかも横行及び縦行を正確に指し示すことが可能な書見台に関する。
【背景技術】
【０００２】  従来、この種の書見台はストッパー付の傾斜台の下方中央に重量を有する回転式紙面押さえアームを備えたものが存在する（例えば、特許文献１参照）。
又、開いた楽譜本を支持する本支持部と、楽譜本の背表紙部を受容する背表紙受け部と、楽譜本の左右に開いたページを押さえるページ押さえ部と、本支持部を固着して楽譜本を支持するガイド部とを有する譜面台が存在する（例えば、特許文献２参照）。
又、スタンド本体の両側部に回動可能に取り付けた補助杆と、本を載置する本載置板と、本載置板下面に本のページを押圧してページが元に戻らないようにした押圧体を先端に設けた回動レバーを回動可能に配設した読費用スタンドが存在する（例えば、実用新案文献１参照）。【０００３】  上記特許文献１記載の発明は、重量を有する回転式紙面押さえアームにより紙面を押圧する構成であるので、ページ数が少なく厚みの薄い本に関しては本の開いた状態を保持するという目的を達成することができるが、図鑑のように大判でページ数が多く厚みのある本に関しては本を開いた状態を保持することは困難であるという問題点がある。
又、特許文献２記載の発明は、一定サイズの楽譜本には適しているが、ページ押さえ部の形状が固定されているため書籍には適応できない。
又、実用新案文献１記載の考案は、ページの押圧部とその補助杆とで本のページ押さえ部を構成しているので、本の開いた状態を保持可能である長所はあるものの、如何なるサイズの本にも適応することは不可能で、場合によっては補助杆が邪魔になるという問題点がある。このように、特許文献１、２及び実用新案文献１記載のものは何れも、読書を再開する際に読み始め箇所を捜すのに時間を要するという問題点を有していた。
そこで、本願考案者は本載置板の上端縁の下面に高さを有する支持台を取り付けて傾斜させ、縦書の行を支持する縦書用指示杆と横書の行を指示する横書用指示杆と、本載置板の左右に本の開いたページを押さえるページ押さえ具とよりなる書見台を発明し、特願２００１−１３７９５３号として特許出願した。
【特許文献１】特開平１０−２９５４５０号公報
【特許文献２】特開平９−２５２８４９号公報
【実用新案文献１】
実用新案登録第３０５１２５１号公報
【考案の開示】
【考案が解決しようとする課題】
【０００４】  本願考案は、特願２００１−１３７９５３号記載の書見台の指示棒を板ばねで形成し、さらに補強用ページ押さえを設けることにより、読書再開位置を長時間安定的に指示し、大判の本であっても、厚みを有する本であっても開いた状態を長時間安定的に保持可能にする。
【課題を解決するための手段】
【０００５】  請求項１記載の考案は、傾斜した本載置板を有し、この本載置板の略中央には縦方向に沿って本の背表紙を載置するための窪みを設けてなる書見台本体と、この書見台本体下端に設けた本落下防止用の滑り止め板と、前記本載置板上面の上方を前記滑り止め板上端縁と直交して横方向にスライドする縦行指示棒と、開いた本の左右ページを押さえる起伏動可能なページ押さえ杆を具備してなる押さえ具とより構成されてなる書見台において、前記書見台本体上面の上方を前記滑り止め板の上端縁と平行に縦方向に沿ってスライドする横行指示棒を設け、該横行指示棒及び前記縦行指示棒は板ばねよりなり、前記ページ押さえ杆の下面は偏平面よりなり、前記本載置板上面には上下方向に於ける異なる位置に先端が位置するように形成された補強用ページ押さえを設けてなることを特徴とする。
請求項２記載の考案は、補強用ページ押さえがフレキシブル棒よりなることを特徴とする。
【考案の効果】
【０００６】  本願考案は、読書中断位置の行を正確に長時間指示し、大判で厚みを有する本であっても自然に閉じらさせることなく、開いた状態を安定的に保持するという効果を有する。
【考案を実施するための最良の形態】
【０００７】  横行指示棒及び縦行指示棒を板ばねで形成することにより、読書中断位置を正確に長時間指示可能にし、ページ押さえ杆下面を偏平面にし、且つ補強用ページ押さえを設けることにより、開いたページに対する押圧力を高め、大判で厚みを有する本であっても開いた状態を安定的に保持することを可能にした。
【実施例１】
【０００８】  図１は本考案書見台の実施例における斜視図、図２は一部切欠右側面図、図３は横行指示棒取付杆の取付状態を示す説明図、図４は指示棒の説明図、図５は使用状態を示す説明図である。これらの図において、書見台本体１は木、硬質性合成樹脂、金属等を材料とし、本載置板２、側板３及び背面板４とよりなる。側板３は、長辺に対し斜辺が２０〜４５°の傾斜角度を有する直角三角形に形成され、略中央位置には指挿入孔５が穿設され書見台を両手で容易に持ち運び可能にしている。側板３は、左右方向に所定距離離隔して対向する位置に配設されている。１対の側板３の対向斜辺間には本載置板２が架け渡されて一体的に取り付けられている。背面板４は、側板３と９０°の角度をなして、側板３の短辺及び本載置板２の後端縁と一体的に取り付けられ、本載置板２を側板３及び背面板４とで支持している。本載置板２の横方向略中央には、本６の背表紙部分を載置するための窪み７を縦方向に凹設している。本載置板２の下端には滑り止め板８が取り付けられている。滑り止め板８は、所定の厚みを有し、平坦な上端面で本６の下端を支持可能に形成されている。滑り止め板８の下部左右両端には、滑り止め板８の上面に対して９０°の角度をなしてボルト９が取り付けられ、ボルト９には滑り止め板８の上端縁と平行な案内杆１０が架設されている。案内杆１０はボルト９にフランジナット１１を螺着することにより着脱自在に取り付けられている。つまり、図３に示すように、案内杆１０の左右両端に設けられた穿孔にボルト９を夫々挿通し、フランジナット１１を案内杆１０の上側でボルト９に螺合締着している。
案内杆１０の右端部には長さ方向に沿って複数の穿孔１２を設け、使用する本６の大きさに応じた位置の穿孔を選択し、選択された穿孔１２に案内杆１０に対して横行指示棒取付杆１３が９０°の角度をなすように、横行指示棒取付杆１３の下端はボルトとフランジナット１４により、上端はボルト１５とフランジナット１６により着脱自在に取り付けている。横行指示棒取付杆１３には横行指示棒１７の基部を摺動自在に取り付けている。係止具１８は内側方に付勢するリングよりなり、横行指示棒取付杆１３に於ける横行指示棒１７の下側方に巻着されて横行指示棒１７の位置を安定的に保持するようにしている。
案内杆１０には縦行指示棒１９を、案内杆１０に対して９０°の角度を有して摺動自在に取り付けている。図４に示すように、横行指示棒１７及び縦行指示棒１９は、幅方向に弧状に彎曲し、互いに平行で直線の側縁を有する板ばねを材料としている。
本載置板２の左右上端にはページ押さえ具２０を設けている。ページ押さえ具２０はページ押さえ杆２１と操作杆２２とより形成され、操作杆２２の回動によりページ押さえ杆２１を起伏するようにしている。ページ押さえ杆２１の下面は偏平面に形成されている。補強用ページ押さえ２３、２４、２５、２６はフレキシブル棒よりなり、本６のサイズに合わせて適当位置に配設されている。【０００９】  次に作用について説明する。
本６の下端が滑り止め板８の上端縁で支持されるように、本６を本載置板２に載置する。本６が大判で厚みを有する場合は補強用ページ押さえ２３、２４、２５、２６で押さえ、さらにページ押さえ杆２１で押さえる。ページ押さえ杆２１の下面は偏平面に形成されているため、押圧面積が広く、元に戻ろうとするページを一層強く押さえることができる。文字が横書である本に関し、読書を中断する場合は、横行指示棒１７を横行指示棒取付杆１３に沿ってスライドさせ、中断位置に横行指示棒１７の上下いずれか一方の側縁を位置せしめ、横行指示棒１７の基部には係止具１８を当接させて位置決めする。横行指示棒１７は板ばねよりなるため、中断位置を押圧指示し、係止具１８は横行指示棒１７の位置を安定的に保持する。横行指示棒１７は、滑り止め板８の上端面と平行に上下動するため、読書中断位置の一行を正確に指示する。
縦行指示棒１９は、滑り止め板８の上端縁と平行な案内杆１０に摺動自在に取り付けられているため、縦書の書物の読書中断位置の行を縦方向一列に正確に指示する。
【図面の簡単な説明】
【００１０】
【図１】書見台の実施例における斜視図である。
【図２】書見台の一部切欠右側面図である。
【図３】横行指示棒取付杆の取付状態を示す説明図である。
【図４】指示棒の説明図である。
【図５】使用状態を示す説明図である。
【符号の説明】
【００１１】１  書見台本体
２  本載置板
６  本
７  窪み
８  滑り止め板
１０  案内杆
１７  横行指示棒
１９  縦行指示棒
２０  ページ押さえ具
２１  ページ押さえ杆
２３、２４、２５、２６  補強用ページ押さえ
【図１】
0003108104.tif 000003
【図２】
0003108104.tif 000004
【図３】
0003108104.tif 000005
【図４】
0003108104.tif 000006
【図５】
0003108104.tif 000007